(57)【要約】【課題】防水ケース内に収納された電子機器の押圧部の押し間違えをなくすことができ、操作性を向上させること。【解決手段】防水ケース５０のケース本体１内にはデジタルスチルカメラ７０を収納することができる。デジタルスチルカメラ７０の背面には、互いに近接した複数の押圧部９１〜９５が設けられている。ケース本体１の背面には、押圧部９１〜９５にそれぞれ対応した押釦２１〜２５が押動可能にして取り付けられている。ケース本体１の外側においては、押釦２１〜２５の突出高さが揃っている。一方、ケース本体１の内側においては、押釦２１の突出高さが押釦２２〜２５の突出高さより高い。【選択図】図４
2006114431.tif 000002
【特許請求の範囲】
【請求項１】
互いに近接させた複数の押釦をケースに貫通させ、前記複数の押釦を前記ケースの外側から内側へ押動可能にして前記複数の押釦を前記ケースに取り付けた押釦群取付構造において、
前記複数の押釦のうち少なくとも１つの押釦の前記ケース内側への突出高さが他の押釦の前記ケース内側への突出高さと異なることを特徴とする押釦群取付構造。
【請求項２】
前記複数の押釦の前記ケース外側への突出高さが何れも同じであることを特徴とする請求項１に記載の押釦群取付構造。
【請求項３】
前記他の押釦が前記少なくとも１つの押釦の周囲に配置されていることを特徴とする請求項１又は２に記載の押釦群取付構造。
【請求項４】
前記少なくとも１つの押釦の前記ケース内側への突出高さが前記他の押釦の前記ケース内側への突出高さよりも高いことを特徴とする請求項１から３の何れか一項に記載の押釦群取付構造。
【請求項５】
前記他の押釦の前記ケース内側への突出高さが何れも同じであることを特徴とする請求項１から４の何れか一項に記載の押釦群取付構造。
【請求項６】
互いに近接して配置された複数の押圧部を有する電子機器を収納するケース本体と、
前記ケース本体に貫通し、前記ケース本体の外側から内側へ押動可能にして前記複数の押圧部にそれぞれ対応して前記ケース本体に取り付けられた複数の押釦と、を備え、
前記複数の押釦のうち少なくとも１つの押釦の前記ケース本体内側への突出高さが他の押釦の前記ケース本体内側への突出高さと異なることを特徴とする防水ケース。
【請求項７】
前記複数の押釦の前記ケース本体外側への突出高さが何れも同じであることを特徴とする請求項６に記載の防水ケース。
【請求項８】
前記他の押釦が前記少なくとも１つの押釦の周囲に配置されていることを特徴とする請求項６又は７に記載の防水ケース。
【請求項９】
前記少なくとも１つの押釦の前記ケース本体内側への突出高さが他の押釦の前記ケース本体内側への突出高さよりも高いことを特徴とする請求項６から８の何れか一項に記載の防水ケース。
【請求項１０】
前記他の押釦の前記ケース本体内側への突出高さが何れも同じであることを特徴とする請求項６から９の何れか一項に記載の防水ケース。
【請求項１１】
互いに近接して配置された複数の押圧部を備えた撮像装置と、
前記撮像装置を収納する防水ケース本体と、
前記防水ケース本体に貫通し、前記防水ケース本体の外側から内側へ押動可能にして前記複数の押圧部にそれぞれ対応して前記防水ケース本体に取り付けられた複数の押釦と、を備え、
前記複数の押釦のうち少なくとも１つの押釦の前記ケース本体内側への突出高さが他の押釦の前記防水ケース本体内側への突出高さと異なることを特徴とする防水ケース付き撮像装置。
【発明の詳細な説明】
【技術分野】
【０００１】
本発明は、電子機器の防水ケースに関するとともに、その防水ケースに複数の押釦を取り付ける押釦群取付構造に関し、更に防水ケース付き撮像装置に関する。
【背景技術】
【０００２】
デジタルスチルカメラを水中で使用できるように、デジタルスチルカメラを収納する透明な防水ケースが開発されている。デジタルスチルカメラを防水ケースに収納した状態でもデジタルスチルカメラを操作できるように、防水ケースに押釦が取り付けられている（例えば、特許文献１参照。）。例えば、図１０の部分断面図に示すように、デジタルスチルカメラ２００には複数の押圧釦２０１〜２０３が近接して設けられているが、押圧釦２０１〜２０３にそれぞれ対応した押釦２１１〜２１３が防水ケース２１０に取り付けられている。押釦２１１〜２１３を押下すれば、それぞれに対応した押圧釦２０１〜２０３を押釦２１１〜２１３によって押すことができる。
【特許文献１】特開２００２−９０８７０号公報
【発明の開示】
【発明が解決しようとする課題】
【０００３】
ところで、近年、デジタルスチルカメラの小型化が進み、デジタルスチルカメラの押圧釦の大きさ、間隔が小さくなっている。それに伴い、防水ケースの押釦の大きさ、間隔が小さくなり、押釦の大きさ、間隔が小さくなってしまうと操作性が悪くなる。図１０の場合には、中央の押釦２１２を押下した場合、周囲の押釦２１１，２１３も同時に押してしまうこともあり、押し間違いが生じやすい。
【０００４】
そこで、本発明は、上記のような問題点を解決しようとしてなされたものであり、防水ケース内に収納された電子機器の押圧部の押し間違えをなくすことができ、操作性を向上させることを目的とする。
【課題を解決するための手段】
【０００５】
以上の課題を解決するために、本発明の押釦群取付構造は、互いに近接させた複数の押釦をケースに貫通させ、前記複数の押釦を前記ケースの外側から内側へ押動可能にして前記複数の押釦を前記ケースに取り付けた押釦群取付構造において、前記複数の押釦のうち少なくとも１つの押釦の前記ケース内側への突出高さが他の押釦の前記ケース内側への突出高さと異なることを特徴とする。
【０００６】
以上においては、少なくとも１つの押釦のケース内側への突出高さが他の押釦のケース内側への突出高さと異なるので、その少なくとも１つの押釦を押すのと同時に他の押釦を押した場合でも、ケース内に収納された電子機器の複数の押圧部が押釦によって同時に押されることがなくなる。そのため、ケース内に収納された電子機器の押圧部の押し間違えをなくすことができる。
【０００７】
好ましくは、前記複数の押釦の前記ケース外側への突出高さが何れも同じである。そのため、ケースの外側において複数の押釦の頭頂が全て揃い、ケースの外形が整っている。
【０００８】
好ましくは、前記他の押釦が前記少なくとも１つの押釦の周囲に配置されている。
【０００９】
好ましくは、前記少なくとも１つの押釦の前記ケース内側への突出高さが前記他の押釦の前記ケース内側への突出高さよりも高い。
【００１０】
好ましくは、前記他の押釦の前記ケース内側への突出高さが何れも同じである。
【００１１】
本発明の防水ケースは、互いに近接して配置された複数の押圧部を有する電子機器を収納するケース本体と、前記ケース本体に貫通し、前記ケース本体の外側から内側へ押動可能にして前記複数の押圧部にそれぞれ対応して前記ケース本体に取り付けられた複数の押釦と、を備え、前記複数の押釦のうち少なくとも１つの押釦の前記ケース本体内側への突出高さが他の押釦の前記ケース本体内側への突出高さと異なることを特徴とする。
【００１２】
以上によれば、少なくとも１つの押釦のケース本体内側への突出高さが他の押釦のケース本体内側への突出高さと異なるので、その少なくとも１つの押釦を押すのと同時に他の押釦を押した場合でも、ケース本体内に収納された電子機器の複数の押圧部が押釦によって同時に押されることがなくなる。
【００１３】
好ましくは、前記複数の押釦の前記ケース本体外側への突出高さが何れも同じである。そのため、ケース本体の外側において複数の押釦の頭頂が全て揃い、ケース本体の外形が整っている。
【００１４】
好ましくは、前記他の押釦が前記少なくとも１つの押釦の周囲に配置されている。
【００１５】
好ましくは、前記少なくとも１つの押釦の前記ケース本体内側への突出高さが他の押釦の前記ケース本体内側への突出高さよりも高い。
【００１６】
好ましくは、前記他の押釦の前記ケース本体内側への突出高さが何れも同じである。
【００１７】
本発明の防水ケース付き撮像装置は、互いに近接して配置された複数の押圧部を備えた撮像装置と、前記撮像装置を収納する防水ケース本体と、前記防水ケース本体に貫通し、前記防水ケース本体の外側から内側へ押動可能にして前記複数の押圧部にそれぞれ対応して前記防水ケース本体に取り付けられた複数の押釦と、を備え、前記複数の押釦のうち少なくとも１つの押釦の前記ケース本体内側への突出高さが他の押釦の前記防水ケース本体内側への突出高さと異なることを特徴とする。
【００１８】
以上によれば、少なくとも１つの押釦の防水ケース本体内側への突出高さが他の押釦の防水ケース本体内側への突出高さと異なるので、その少なくとも１つの押釦を押すのと同時に他の押釦を押した場合でも、防水ケース本体内に収納された撮像装置の複数の押圧部が押釦によって同時に押されることがなくなる。
【発明の効果】
【００１９】
本発明によれば、誤って複数の押釦を同時に押してしまった場合でも、ケース内に収納された電子機器の複数の押圧部が押釦によって同時に押されることがなくなるので、ケース本体内に収納された電子機器の押圧部の押し間違えをなくすことができる。そのため、操作性が向上する。
【００２０】
また、複数の押釦の頭頂がケースの外側において全て揃うので、ケースの外形が整い、ケースのデザイン性が損なわれない。また、複数の押釦を下側にしてケースを載置した場合、荷重が複数の押釦に分散され、押釦が不意に破損することを防止することができる。
【発明を実施するための最良の形態】
【００２１】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２２】
図１は、本発明を適用した実施形態における防水ケース５０を正面側から見た斜視図であり、図２は、防水ケース５０の背面図であり、図３は、防水ケース５０の背面に設けられた押釦群２０の平面図であり、図４は、図３に示された切断線IV−IVに沿った面の矢視部分断面図であり、図５は、図３に示された切断線V−Vに沿った面の矢視部分断面図である。図６は、押釦群２０の作用を説明するための図面である。また、図７は、防水ケース５０に収納するデジタルスチルカメラ７０を正面側から見た斜視図であり、図８は、デジタルスチルカメラ７０を背面側から見た斜視図である。
【００２３】
防水ケース付き撮像装置は、図７〜図８に示すようなデジタルスチルカメラ７０と、図１〜図２に示すような防水ケース５０とを備える。まず、デジタルスチルカメラ７０について説明する。図７に示すように、デジタルスチルカメラ７０は、カメラ本体７１を備えている。カメラ本体７１の前面には、撮像レンズ部７２、ファインダ部７３及びストロボ部７４が設けられており、カメラ本体７１の上面には、シャッタ釦７５が設けられている。この場合、撮像レンズ部７２は沈胴式のズームレンズユニットであり、その鏡胴７６〜７８をカメラ本体７１の前面から３段階で出没自在とされている。更に、撮像レンズ部７２は、撮影しないときにカメラ本体７１内に没入して収納されるよう、撮影するときにはカメラ本体７１の厚みに対して最大１〜１．５倍程度、カメラ本体７１の前面から突出するよう構成されている。
【００２４】
図８に示すように、このカメラ本体７１の背面には、前面側に連続するファインダ部７３が設けられているほか、表示部７９、再生釦８０、ズーム釦８１、機能釦８４〜８６及びクロス形釦９０が設けられている。
【００２５】
表示部７９は、液晶表示素子又はエレクトロルミネッセンス表示素子からなり、撮影した画像等の情報を電気光学的に表示するように構成されている。再生釦８０は、撮影した画像を表示部７９に表示させるモードを選択指定するためのスイッチである。機能釦８４〜８６は、各種操作のためのスイッチである。ズーム釦８１は、左右両端部の押圧部８２，８３の押圧によって撮像レンズ部７２を望遠側、広角側に変更するためのシーソスイッチである。
【００２６】
クロス形釦９０は、中央部に位置する押圧部９１と、押圧部９１の周囲において上下左右にそれぞれ位置する押圧部９２〜９５と、を有し、これら押圧部９１〜９５は、互いに近接して配置されている。周囲の押圧部９２〜９５を押圧することにより各種設定項目が選択され、中央の押圧部９１を押圧することにより選択された項目が決定される。
【００２７】
次に、防水ケース５０について説明する。図１に示すように、防水ケース５０は、デジタルスチルカメラ７０を収納するケース本体１を有する。ケース本体１は、デジタルスチルカメラ７０の前面部を覆うフロントケース２と、デジタルスチルカメラ７０の後面部を覆うリアケース３と、から構成されている。フロントケース２及びリアケース３は透明な合成樹脂からなり、それぞれの一側部（図１ででは、右側の側部）においてヒンジ部４により回動可能に結合されている。ヒンジ部４を中心にしてフロントケース２とリアケース３を回動して開閉するように構成されている。
【００２８】
また、ヒンジ部４と反対側の側部（図１では、左側の側部）において、ロック部材５がフロントケース２とリアケース３に設けられ、このロック部材５によってフロントケース２とリアケース３が閉じた状態で係脱可能にロックされるよう構成されている。防水ケース５０は、デジタルスチルカメラ７０の前面部をフロントケース２で覆い、デジタルスチルカメラ７０の後面部をリアケース３で覆い、フロントケース２とリアケース３を閉じ、更にロック部材５によってロックすることによって、ケース本体１の内部にデジタルスチルカメラ７０を収納するよう構成されている。フロントケース２の前面には、収納筒部６が前方に突出するようフロントケース２と一体に形成され、デジタルスチルカメラ７０がケース本体１に収納された状態において、撮像レンズ部７２が収納筒部６内に挿入される。そして、撮像レンズ部７２が、収納筒部６内において前後に出没自在となる。
【００２９】
図１〜図２に示すように、フロントケース２の上面には、デジタルスチルカメラ７０のシャッタ釦７５に対応する押釦７が押動可能にして設けられている。リアケース３の背面には、再生釦８０に対応する押釦８、ズーム釦８１の押圧部８２に対応する押釦９、押圧部８３に対応する押釦１０、機能釦８４に対応する押釦１１が押動可能にして設けられている。これら押釦８〜１０は、リアケース３の背面の上縁に沿って一直線状に配列されている。
【００３０】
リアケース３の背面には、機能釦８５に対応する押釦１２、機能釦８６に対応する押釦１３が設けられている。押釦１２及び押釦１３は、押釦８〜１１よりも下側に位置している。
【００３１】
更に、リアケース３の背面には、クロス形釦９０に対応する押釦群２０が設けられている。押釦群２０は、押釦７〜１１よりも下側に位置している。以下、押釦群２０をリアケース３に取り付ける取付構造５１について図３〜図５を用いて説明する。
【００３２】
図３に示すように、押釦群２０は、押圧部９１〜９５のそれぞれに対応する押釦２１〜２５からなる。ここで、押釦２１〜２５のうち中央押釦２１が中央に位置し、中央押釦２１の上側に上押釦２２が位置し、中央押釦２１の下側に下押釦２３が位置し、中央押釦２１の左側に左押釦２４が位置し、中央押釦２１の右側に右押釦２５が位置する。これら押釦２１〜２５は近接して配置されている。
【００３３】
図４〜図５に示すように、押釦２１〜２５は、それぞれ、軸部２１ａ〜２５ａと、軸部２１ａ〜２５ａの一方の端部に設けられた頭部２１ｂ〜２５ｂと、軸部２１ａ〜２５ａの他方の端部に設けられた弾接部２１ｃ〜２５ｃと、弾接部２１ｃ〜２５ｃよりも頭部２１ｂ〜２５ｂ寄りにおいて軸部２１ａ〜２５ａに設けられたストッパ２１ｄ〜２５ｄと、を有する。軸部２１ａ〜２５ａの直径が弾接部２１ｃ〜２５ｃの直径よりも小さく、弾接部２１ｃ〜２５ｃの直径はストッパ２１ｄ〜２５ｄの直径よりも小さく、ストッパ２１ｄ〜２５ｄの直径は頭部２１ｂ〜２５ｂの直径よりも小さい。また、弾接部２１ｃ〜２５ｃは、ゴム等の弾性材料からなる。
【００３４】
押釦２１〜２５について比較すると、上下左右の周辺押釦２２〜２５は何れも同様に構成されているが、中央押釦２１は押釦２１〜２５と異なる。具体的には、中央押釦２１については、頭部２１ｂの頭頂面が平坦に設けられているのに対して、上下左右の押釦２２〜２５については、頭部２２ｂ〜２５ｂの頭頂面が凸曲面状に設けられている。更に、頭部２１ｂの頭頂から頭部２１ｂの下端までの長さは、頭部２２ｂ〜２５ｂの頭頂から頭部２２ｂ〜２５ｂの下端までの長さよりも長く、頭部２１ｂの頭頂から弾接部２１ｃの下端までの長さは、頭部２２ｂ〜２５ｂの頭頂から弾接部２２ｃ〜２５ｃの下端までの長さよりも長い。即ち、軸方向に沿った長さ（頭頂から下端までの長さ）は、中央押釦２１が上下左右の押釦２２〜２５よりも長い。
【００３５】
中央押釦２１は、リアケース３の背面を貫通するよう取り付けられ、押動可能となっている。具体的には、中央押釦２１は以下のように取り付けられている。リアケース３の背面であってデジタルスチルカメラ７０の押圧部９１に対応する箇所には、円形状の凹部２１ｇが凹設されているが、リアケース３の内面において凹部２１ｇの反対側が凸設されている。凹部２１ｇの底には、取付孔２１ｆがリアケース３の内面側まで貫通している。そして、軸部２１ａが軸方向に摺動可能となって取付孔２１ｆに挿入され、中央押釦２１の頭部２１ｂがリアケース３の外側（図４、図５では上側）にあり、弾接部２１ｃ及びストッパ２１ｄがリアケース３の内側にある。
【００３６】
また、軸部２１ａがリアケース３の外側において巻きバネ２１ｅに挿入され、巻きバネ２１ｅが軸部２１ａに遊びをもって巻回されている。この巻きバネ２１ｅは、頭部２１ｂと凹部２１ｇの底との間に配設され、頭部２１ｂを外側に向けて付勢している。巻きバネ２１ｅの付勢力に対してストッパ２１ｄがリアケース３の内面に当接することによって、中央押釦２１の外側への移動が抑止されている。
【００３７】
上下左右の押釦２２〜２５は、リアケース３の背面を貫通するよう取り付けられ、押動可能となっている。具体的には、押釦２２〜２５は、以下のように取り付けられている。凹部２１ｇの周囲には、取付孔２２ｆ〜２５ｆがリアケース３の内面側まで貫通するよう形成されている。ここで、取付孔２２ｆ〜２５ｆは、それぞれ、押圧部９２〜９５に対応する箇所に形成されている。
【００３８】
そして、軸部２２ａ〜２５ａが軸方向に摺動可能となって取付孔２２ｆ〜２５ｆにそれぞれ挿入され、頭部２２ｂ〜２５ｂがリアケース３の外側にあり、弾接部２２ｃ〜２５ｃ及びストッパ２２ｄ〜２５ｄがリアケース３の内側にある。軸部２２ａ〜２５ａがリアケース３の外側において巻きバネ２２ｅ〜２５ｅにそれぞれ挿入され、巻きバネ２２ｅ〜２５ｅが遊びをもって軸部２２ａ〜２５ａにそれぞれ巻回されている。巻きバネ２２ｅ〜２５ｅは、リアケース３の背面と頭部２２ｂ〜２５ｂとの間に配設され、外側に向けて頭部２２ｂ〜２５ｂをそれぞれ付勢している。巻きバネ２２ｅ〜２５ｅの付勢力に対してストッパ２２ｄ〜２５ｄがリアケース３の内面に当接することによって、押釦２２〜２５の外側への移動が抑止されている。
【００３９】
リアケース３に取り付けた状態で押釦２１〜２５について比較する。基準面（例えば、リアケース３の背面又は内面）を基準とした弾接部２１ｃの内側への突出高さは、同一基準面を基準とした弾接部２２ｃ〜２５ｃの内側への突出高さよりも高い。同一基準面を基準とした弾接部２２ｃ〜２５ｃの内側への突出高さは何れも同じである。ここで、基準面を基準とした弾接部２１ｃ〜２５ｃの内側への突出高さとは、基準面から弾接部２１ｃ〜２５ｃの下端までの距離をいう。
【００４０】
弾接部２１ｃの内側への突出高さが弾接部２２ｃ〜２５ｃの内側への突出高さよりも高いため、弾接部２１ｃの下端から押圧部９１までの距離は弾接部２２ｃ〜２５ｃの下端から押圧部９２〜９５までの距離より小さい。従って、軸方向に沿った移動範囲は。中央押釦２１よりも左右の押釦２２〜２５のほうが大きい。
【００４１】
一方、リアケース３の外側においては、同一基準面（例えば、リアケース３の背面又は内面）を基準とした頭部２１ｂ〜２５ｂの外側への突出高さは、何れも同じである。ここで、基準面を基準とした頭部２１ｂ〜２５ｂの外側への突出高さとは、基準面から頭部２１ｂ〜２５ｂの頭頂までの距離をいう。
【００４２】
押釦７〜１３も中央押釦２１又は上下左右の押釦２２〜２５と同様にしてリアケース３に取り付けられている。
【００４３】
なお、取付孔２１ｆ〜２５ｆ内においてリアケース３と軸部２１ａ〜２５ａの間にシール材が設けられ、リアケース３と軸部２１ａ〜２５ａとの間の隙間における漏水が起きないようになっている。
【００４４】
このような防水ケース５０では、ヒンジ部４を中心にフロントケース２とリアケース３を回動させて開き、その内部にデジタルスチルカメラ７０を配置して、フロントケース２とリアケース３を閉じ、この状態でロック部材５によってフロントケース２とリアケース３をロックすることにより、デジタルスチルカメラ７０をケース本体１内に収納する。これにより、デジタルスチルカメラ７０を防水することができる。
【００４５】
ケース本体１内にデジタルスチルカメラ７０を収納した状態でデジタルスチルカメラ７０を操作する場合には、押釦７〜１３、押釦２１〜２５を押下する。
【００４６】
押釦７〜１３を押下することによってそれぞれに対応したシャッタ釦７５、再生釦８０、押圧部８２、押圧部８３〜８５が押圧される。そして、押釦７〜１３の押下を解除すると元に戻り、シャッタ釦７５、再生釦８０、押圧部８２、押圧部８３〜８５の押圧が解除される。
【００４７】
一方、巻きバネ２１ｅ〜２５ｅに付勢力に抗して押釦２１〜２５の頭部２１ｂ〜２５ｂを押下すると、弾接部２１ｃ〜２５ｃによってそれぞれに対応した押圧部９１〜９５が押圧される。頭部２１ｂ〜２５ｂの押下を解除すると、巻きバネ２１ｅ〜２５ｅの付勢力によって弾接部２１ｃ〜２５ｃが押圧部９１〜９５から離れて押圧部９１〜９５の押圧が解除される。
【００４８】
以上のように、デジタルスチルカメラ７０を防水ケース５０に収納した状態でも、デジタルスチルカメラ７０を操作することができる。
【００４９】
ここで、図６に示すように、クロス形釦９０のうち中央の押圧部９１のみを押下する場合、指で中央押釦２１の頭部２１ｂを押下するが、押釦２１〜２５が密集しているので指が上下左右の押釦２２〜２５の頭部２２ｂ〜２５ｂに当たって頭部２２ｂ〜２５ｂも押下してしまう。このような場合であっても、基準面から弾接部２１ｃの下端までの距離は同一基準面から弾接部２２ｃ〜２５ｃの下端までの距離よりも短いため、押圧部９１が弾接部２１ｃによって押圧されるが、押圧部９２〜９５は押圧されない。そのため、押圧部９１〜９５のうち押圧部９１のみを押圧したい場合において、他の押圧部９２〜９５を誤って押圧してしまうことを防止することができる。
【００５０】
また、押釦２２〜２５の頭部２２ｂ〜２５ｂが凸曲面状に形成されているから、中央押釦２１の頭部２１ｂを指で押し込んだ場合、指が頭部２２ｂ〜２５ｂに接触しにくいので、押釦２２〜２５を誤って押下してしまうことを防止することができる。
【００５１】
また、中央押釦２１の頭部２１ｂの形状が他の押釦２２〜２５の頭部２２ｂ〜２５ｂの形状と異なるため、手探りで中央押釦２１を特定することができる。
【００５２】
また、頭部２１ｂ〜２５ｂの頭頂が全て揃っているため、防水ケース５０の背面側の形状が整っている。
【００５３】
その上、防水ケース５０の背面を下にして防水ケース５０を置いた場合、頭部２１ｂ〜２５ｂの頭頂が全て揃っているから、押釦２１〜２５の何れかが押されるのではなく、押釦２１〜２５の全てが押される。そのため、荷重が押釦２１〜２５に分散され、押釦２１〜２５が不意に破損することも防止することができる。
【００５４】
図９に示される押釦群取付構造５１Ａは、上記押釦群取付構造５１における凹部２１ｇの深さを浅くしたものであって、中央押釦２１の頭部２１ｂの頭頂が他の押釦２２〜２５の頭頂よりも高くしたものである。もちろん、中央押釦２１の弾接部２１ｃの内側への突出高さは、他の押釦２２〜２５の弾接部２２ｃ〜２５ｃの内側への突出高さよりも高い。なお、押釦群取付構造５１Ａについては、押釦群取付構造５１と同様の構成要素に同様の符号を付してその説明を省略する。この場合でも上記で示した同様の効果を得ることができる。
【００５５】
なお、本発明は、上記各実施の形態に限定されることなく、本発明の趣旨を逸脱しない範囲において、種々の改良並びに設計の変更を行っても良い。
【００５６】
上記実施形態では、押釦２２〜２５の内側への突出高さよりも高い突出高さの押釦２１を１つとしてあるが、このような押釦２１を２つ以上リアケース３に設けても良い。例えば、押釦２１を左右に２つ配列するようリアケース３の背面に取り付け、２つの押釦２１の周囲に押釦２２〜２５を配列しても良い。その場合、デジタルスチルカメラ７０においても、２つの押釦２１と押釦２２〜２５に対応するように、押圧部９１を２つ設け、２つの押圧部２１の周囲に押圧部９２〜９５を配列する。
【００５７】
また、デジタルスチルカメラ７０に限らず、他の電子機器、例えばビデオカメラ、携帯電話機、ノート型パーソナルコンピュータ、腕時計、ＰＤＡ（Personal Digital Assistant）を収納する防水ケースに本発明を適用することができる。その場合、ケース本体の形状は電子機器の形状に合わせる。
【図面の簡単な説明】
【００５８】
【図１】防水ケース５０の斜視図である。
【図２】防水ケース５０の背面図である。
【図３】防水ケース５０の背面に設けられた押釦群２０の平面図である。
【図４】図３に示された切断線IV−IVに沿った面の部分断面図である。
【図５】図３に示された切断線V−Vに沿った面の部分断面図である。
【図６】押釦群２０の作用を説明するための図面である。
【図７】デジタルスチルカメラ７０を正面側から見た斜視図である。
【図８】デジタルスチルカメラ７０を背面側から見た斜視図である。
【図９】変形例における押釦群取付構造５１Ａの部分断面図である。
【図１０】複数の押釦２１１〜２１３を取り付ける従来の取付構造の部分断面図である。
【符号の説明】
【００５９】
１  ケース本体
５０  防水ケース
２１  押釦（少なくとも１つの押釦）
２２〜２５  押釦（他の押釦）
７０  デジタルスチルカメラ（電子機器）
９１〜９５  押圧部
【図１】
2006114431.tif 000003
【図２】
2006114431.tif 000004
【図３】
2006114431.tif 000005
【図４】
2006114431.tif 000006
【図５】
2006114431.tif 000007
【図６】
2006114431.tif 000008
【図７】
2006114431.tif 000009
【図８】
2006114431.tif 000010
【図９】
2006114431.tif 000011
【図１０】
2006114431.tif 000012